(57)【特許請求の範囲】
【請求項１】
ノズルと、
ピストンと、
バルブと、
一方の端部において前記バルブと流体連通し、かつ反対側の端部において前記ノズルと流体連通している導管と、
前記ピストンと動作可能に接続されたトリガーであって、前記トリガーが第１のゾーン及び第２のゾーンを備え、前記第１のゾーン及び前記第２のゾーンは、共通軸を中心に独立して動くことができ、前記トリガーの動きが、前記ピストンの対応する往復運動を起こさせ、前記ピストンの前記往復運動により容器から液体を引き出すことができ、前記ノズルを通じて液体を供給する、トリガーと、を備える、アクチュエータ。
【請求項２】
前記第１のゾーンは、前記共通軸に対して前記第２のゾーンから可変角度で配置可能である、請求項１に記載のアクチュエータ。
【請求項３】
前記トリガーは、前記共通軸に対して前記第１のゾーンと前記第２のゾーンとの間でユーザ選択可能な角度を備える、請求項１又は２に記載のアクチュエータ。
【請求項４】
前記トリガーの前記第１及び第２のゾーンは、少なくとも第１の位置及び第２の位置に構成可能であり、前記第１の位置において、前記第１のゾーンは、前記第２のゾーンから第１の角度だけ半径方向にオフセットされ、前記第２の位置において、前記第１のゾーンは、前記第１の角度とは異なる第２の角度だけ前記第２のゾーンから半径方向にオフセットされている、請求項１〜３のいずれか一項に記載のアクチュエータ。
【請求項５】
前記第１及び第２のゾーンは、協調して動くことができる、請求項１〜４のいずれか一項に記載のアクチュエータ。
【請求項６】
前記トリガーは、二次カップラーを備え、前記二次カップラーは、少なくとも部分的に前記トリガーの前記第１のゾーン及び前記第２のゾーンを接合する、請求項１〜５のいずれか一項に記載のアクチュエータ。
【請求項７】
前記二次カップラーは、エラストマー材料を含む、請求項６に記載のアクチュエータ。
【請求項８】
前記二次カップラーは、前記第１のゾーンと前記第２のゾーンとの間に所定の角度を設定する、請求項６又は７に記載のアクチュエータ。
【請求項９】
前記トリガーは、前記第１のゾーン及び前記第２のゾーンを接合するエネルギー貯蔵カップリングを備える、請求項１〜８のいずれか一項に記載のアクチュエータ。
【請求項１０】
前記エネルギー貯蔵カップリングは、トーションばね、コイルばね、板ばね、エラストマー材料、及びこれらの組み合わせからなる群から選択される、請求項９記載のアクチュエータ。
【請求項１１】
スプレー製品から組成物を供給する方法であって、
スプレー製品を提供する工程であって、前記スプレー製品が、
ノズルと、
バルブと、
ピストンと、
一方の端部において前記バルブと流体連通し、かつ反対側の端部において前記ノズルと流体連通している導管と、
前記バルブと動作可能に接続されたトリガーであって、前記トリガーが第１のゾーン及び第２のゾーンを備え、前記第１のゾーン及び前記第２のゾーンは、共通軸を中心に独立して動くことができ、前記トリガーの動きが、前記ピストンの対応する往復運動を起こさせ、前記ピストンの前記往復運動により容器から液体を引き出すことができ、前記ノズルを通じて液体を供給する、トリガーと、を備えるスプレー製品を提供する工程と、
前記トリガーの前記第１のゾーン及び前記第２のゾーンを前方位置から後方位置へと同時に作動させる工程と、
前記共通軸に対する目標角度に前記第１のゾーンと前記第２のゾーンとの間の角度を選択する工程と、
前記トリガーの前記第１のゾーン及び前記第２のゾーンを協調して動かして、前記目標角度を維持する工程と、を含む、方法。
【請求項１２】
前記第１のゾーンは、前記共通軸に対して前記第２のゾーンから可変角度で配置可能である、請求項１１に記載の方法。
【請求項１３】
前記トリガーは、前記共通軸に対して前記第１のゾーンと前記第２のゾーンとの間でユーザ選択可能な角度を備える、請求項１１又は１２に記載の方法。
【請求項１４】
前記トリガーの前記第１及び第２のゾーンは、少なくとも第１の位置及び第２の位置に構成可能であり、前記第１の位置において、前記第１のゾーンは、前記第２のゾーンから第１の角度だけ半径方向にオフセットされ、前記第２の位置において、前記第１のゾーンは、前記第１の角度とは異なる第２の角度だけ前記第２のゾーンから半径方向にオフセットされている、請求項１１〜１３のいずれか一項に記載の方法。
【請求項１５】
前記第１及び第２のゾーンは、協調して動くことができる、請求項１１〜１４のいずれか一項に記載の方法。
【発明の詳細な説明】
【技術分野】
【０００１】
布地
本開示は、人間工学的スプレーアクチュエータ、人間工学的スプレーアクチュエータを含むスプレー製品、及びそれを用いて空気又は布地をフレッシュニングする方法を対象とする。
【背景技術】
【０００２】
トリガーを有するスプレー製品が知られている。トリガー噴霧器は、典型的には、手動式ポンプ又は加圧容器から下に延びる、手持ち容器を使用する。容器は、流れ状、微細な液滴状、泡状又は霧状で噴霧されることが所望される任意の組成物を保持することができる。組成物は、空気清浄剤、布地消臭剤、ヘアスプレー、クレンザー等を含む場合がある。
【０００３】
エアゾール噴霧器のポンプ又はバルブステムは、関節運動式トリガーによって作動される。ユーザは、その手でトリガーを絞り、典型的には、トリガーを前方の静止位置から、後方の供給位置まで引き込む。トリガーの動きにより、組成物が容器から供給され、ノズルから噴霧される。
【０００４】
噴霧の特性（例えば、流れ、液滴、霧）は、いくつかのパラメータ及びポンプの操作特性によって決定される。例えば、ノズル形状、ピストン孔、ピストンのストローク及びポンプ効率が全て、噴霧特性に影響を与える。
【０００５】
ある特定の組成物のために設計されたポンプが、異なる組成物と共に使用される場合、状況は複雑である。組成物のレオロジー、表面張力等もまた、噴霧特性に影響を与える。
【０００６】
状況は、ユーザの操作によって更に複雑となる。ポンプは、各ストロークが特定のストローク速度で最大量のピストン変位を供給する、トリガーの最大ストロークを用いて使用されるように設計され、そうすることが意図される場合がある。しかしながら、ユーザは常に、又はどの程度であれ、意図された様式でトリガーを操作しない場合がある。
【０００７】
ピストン孔が大きすぎる場合、正しいトリガーストロークを得るために必要な力は、特定のユーザにとっては大きすぎる場合がある。ピストンストロークが長すぎる場合、又はトリガー関節動作が長すぎる場合、ユーザは意図された経路長さ全体でトリガーを引かない場合がある。ユーザの手が小さすぎる場合、又は大きすぎる場合、ユーザは意図されたようにはトリガーを操作しない場合がある。ユーザはトリガーを意図されるよりも遅く、又は速く操作する場合がある。ユーザの手が疲れている場合があり、操作は特定の使用の中間で及び中間のストロークで変化し得る。
【発明の概要】
【発明が解決しようとする課題】
【０００８】
したがって、ユーザの範囲に対して人間工学的に設計されたスプレーアクチュエータ及びスプレー製品を提供することが有益であろう。
【課題を解決するための手段】
【０００９】
組み合わせ：
Ａ．
ノズルと、
バルブと、
一方の端部においてバルブと流体連通し、かつ反対側の端部においてノズルと流体連通している導管と、
バルブと動作可能に接続されたトリガーであって、トリガーが第１のゾーン及び第２のゾーンを備え、第１のゾーン及び第２のゾーンは、共通軸を中心に独立して動くことができる、トリガーと、を備える、アクチュエータ。
Ｂ．第１のゾーンは、共通軸に対して第２のゾーンから可変角度で配置可能である、パラグラフＡに記載のアクチュエータ。
Ｃ．トリガーは、共通軸に対して第１のゾーンと第２のゾーンとの間でユーザ選択可能な角度を備える、パラグラフＡ又はパラグラフＢに記載のアクチュエータ。
Ｄ．トリガーの第１のゾーン及び第２のゾーンは、少なくとも第１の位置及び第２の位置に構成可能であり、第１の位置において、第１のゾーンは、第２のゾーンから第１の角度だけ半径方向にオフセットされ、第２の位置において、第１のゾーンは、第１の角度とは異なる第２の角度だけ第２のゾーンから半径方向にオフセットされている、パラグラフＡ〜Ｃのいずれかに１つに記載のアクチュエータ。
Ｅ．第１のゾーン及び第２のゾーンは、協調して動くことができる、パラグラフＡ〜Ｄのいずれか１つに記載のアクチュエータ。
Ｆ．トリガーは、二次カップラーを備え、二次カップラーは、少なくとも部分的にトリガーの第１のゾーン及び第２のゾーンを接合する、パラグラフＡ〜Ｅのいずれか１つに記載のアクチュエータ。
Ｇ．二次カップラーは、エラストマー材料を含む、パラグラフＡ〜Ｆのいずれか１つに記載のアクチュエータ。
Ｈ．二次カップラーは、第１のゾーンと第２のゾーンとの間に所定の角度を設定する、パラグラフＡ〜Ｇのいずれか１つに記載のアクチュエータ。
Ｉ．トリガーは、第１のゾーン及び第２のゾーンを接合するエネルギー貯蔵カップリングを備える、パラグラフＨに記載のアクチュエータ。
Ｊ．エネルギー貯蔵カップリングは、トーションばね、コイルばね、板ばね、エラストマー材料、及びこれらの組み合わせからなる群から選択される、パラグラフＡ〜Ｉのいずれか１つに記載のアクチュエータ。
Ｋ．スプレー製品から組成物を供給する方法であって、
スプレー製品を提供する工程であって、スプレー製品が、
ノズルと、
バルブと、
一方の端部においてバルブと流体連通し、かつ反対側の端部においてノズルと流体連通している導管と、
バルブと動作可能に接続されたトリガーであって、トリガーが第１のゾーン及び第２のゾーンを備え、第１のゾーン及び第２のゾーンは、共通軸を中心に独立して動くことができる、トリガーと、を備えるスプレー製品を提供する工程と、
トリガーの第１のゾーン及び第２のゾーンを前方位置から後方位置へと同時に作動させる工程と、
共通軸に対する目標角度に第１のゾーンと第２のゾーンとの間の角度を選択する工程と、
トリガーの第１のゾーン及び第２のゾーンを協調して動かして、目標角度を維持する工程と、を含む、方法。
Ｌ．第１のゾーンは、共通軸に対して第２のゾーンから可変角度で配置可能である、パラグラフＫに記載のアクチュエータ。
Ｍ．トリガーは、共通軸に対して第１のゾーンと第２のゾーンとの間でユーザ選択可能な角度を備える、パラグラフＫ又はパラグラフＬに記載のアクチュエータ。
Ｎ．トリガーの第１のゾーン及び第２のゾーンは、少なくとも第１の位置及び第２の位置に構成可能であり、第１の位置において、第１のゾーンは、第２のゾーンから第１の角度だけ半径方向にオフセットされ、第２の位置において、第１のゾーンは、第１の角度とは異なる第２の角度だけ第２のゾーンから半径方向にオフセットされている、パラグラフＫ〜Ｍのいずれかに１つに記載のアクチュエータ。
Ｏ．第１のゾーン及び第２のゾーンは、協調して動くことができる、パラグラフＫ〜Ｎのいずれか１つに記載のアクチュエータ。
Ｐ．トリガーは、二次カップラーを備え、二次カップラーは、少なくとも部分的にトリガーの第１のゾーン及び第２のゾーンを接合する、パラグラフＫ〜Ｏのいずれか１つに記載のアクチュエータ。
Ｑ．二次カップラーは、エラストマー材料を含む、パラグラフＫ〜Ｐのいずれか１つに記載のアクチュエータ。
Ｒ．二次カップラーは、第１のゾーンと第２のゾーンとの間に所定の角度を設定する、パラグラフＫ〜Ｑのいずれか１つに記載のアクチュエータ。
Ｓ．トリガーは、第１のゾーン及び第２のゾーンを接合するエネルギー貯蔵カップリングを備える、パラグラフＫ〜Ｒのいずれか１つに記載のアクチュエータ。
Ｔ．エネルギー貯蔵カップリングは、トーションばね、コイルばね、板ばね、エラストマー材料、及びこれらの組み合わせからなる群から選択される、パラグラフＫ〜Ｓのいずれか１つに記載のアクチュエータ。
Ｕ．
ノズルと、
バルブと、
一方の端部においてバルブと流体連通し、かつ反対側の端部においてノズルと流体連通している導管と、
バルブと動作可能に接続されたトリガーであって、トリガーは、第１のゾーン及び第２のゾーンを備え、トリガーは、動作の第１のモード及び動作の第２のモードで動作可能であり、動作の第１のモードでは、トリガーの第１のゾーン及び第２のゾーンは、ユーザによって作動され、動作の第２のモードでは、トリガーの第１のゾーンのみがユーザによって作動される、トリガーと、を備える、アクチュエータ。
Ｖ．第１のモード、第１のゾーン及び第２のゾーンが協調して動作される、アクチュエータ、パラグラフＵ。
Ｗ．動作の第１のモードでのトリガーを作動させる力は、動作の第２のモードのトリガーを作動させる力よりも高い、パラグラフＵ又はパラグラフＶに記載のアクチュエータ。
Ｘ．アクチュエータから供給される組成物の噴霧割合は、動作の第２のモードでアクチュエータから供給される組成物の噴霧割合よりも動作の第１の動作モードの方が高い、パラグラフＵ〜Ｗのいずれか１つに記載のアクチュエータ。
Ｙ．動作の第２のモードにおいて、トリガーの第１のゾーンの作動中にエネルギーが貯蔵され、貯蔵されたエネルギーは、トリガーの第２のゾーンを動かすために使用される、パラグラフＫ〜Ｘのいずれか１つに記載のアクチュエータ。
Ｚ．スプレー製品から組成物を供給する方法であって、
スプレー製品を提供する工程であって、スプレー製品が、
ノズルと、
バルブと、
一方の端部においてバルブと流体連通し、かつ反対側の端部においてノズルと流体連通している導管と、
バルブと動作可能に接続されたトリガーであって、第１のゾーン及び第２のゾーンを備える、トリガーと、を備えるスプレー製品を提供する工程と、
トリガーの第１のゾーンのみを、作動させるために第１の力で前方位置から後方位置へと作動させる工程と、
トリガーの第１のゾーン及び第２のゾーンを、作動させるための第１の力よりも大きい第２の力で前方位置から後方位置へと続いて作動させる工程と、を含む、方法。
ＡＡ．第１のモード、第１のゾーン及び第２のゾーンが協調して動作される、パラグラフＺに記載のアクチュエータ。
ＢＢ．動作の第１のモードでのトリガーを作動させる力は、動作の第２のモードのトリガーを作動させる力よりも高い、パラグラフＺ又はパラグラフＡＡに記載のアクチュエータ。
ＣＣ．アクチュエータから供給される組成物の噴霧割合は、動作の第２のモードでアクチュエータから供給される組成物の噴霧割合よりも動作の第１の動作モードの方が高い、パラグラフＺ〜ＢＢのいずれか１つに記載のアクチュエータ。
ＤＤ．動作の第２のモードにおいて、トリガーの第１のゾーンの作動中にエネルギーが貯蔵され、貯蔵されたエネルギーは、トリガーの第２のゾーンを動かすために使用される、パラグラフＺ〜ＣＣのいずれか１つに記載のアクチュエータ。
ＥＥ．
ノズルと、
バルブと、
一方の端部においてバルブと流体連通し、かつ反対側の端部においてノズルと流体連通している導管と、
第１のゾーン及び第２のゾーンを備えるトリガーであって、第１のゾーンは、弾性カップリングによって第２のゾーンと結合されている、トリガーと、
一方の端部においてトリガーと動作可能に接続され、かつ反対側の端部においてバルブと動作可能に接続されたエネルギー貯蔵ピストンであって、トリガーの第１のゾーン又は第２のゾーンの作動が、エネルギー貯蔵ピストンを動かし、トリガーの第１のゾーンの作動が、弾性カップリングにおいてエネルギーを貯蔵し、完全なストローク後の第１のゾーンの連続的な押下が、弾性カップリングからのエネルギーの放出を介して第２のゾーンにおける作動を引き起こす、エネルギー貯蔵ピストンと、を備える、アクチュエータ。
ＦＦ．スプレー製品から組成物を供給する方法であって、
アクチュエータを提供する工程であって、アクチュエータが、
ノズルと、
バルブと、
一方の端部においてバルブと流体連通し、かつ反対側の端部においてノズルと流体連通している導管と、
第１のゾーン及び第２のゾーンを備えるトリガーであって、第１のゾーンは、弾性カップリングによって第２のゾーンと結合されている、トリガーと、
一方の端部においてトリガーと動作可能に接続され、かつ反対側の端部においてバルブと動作可能に接続されたエネルギー貯蔵ピストンと、を備えるアクチュエータを提供する工程と、
トリガーの第１のゾーンを前方位置から後方位置へと作動させて、エネルギー貯蔵ピストンを第１の位置から第２の位置に動かす工程と、
弾性カップリングにエネルギーを同時に貯蔵する工程と、
トリガーの第１のゾーンを後方位置に保持する工程と、
弾性カップリングに貯蔵されたエネルギーを放出して、トリガーの第２のゾーンを前方位置から後方位置へと動かす工程と、
エネルギー貯蔵ピストンを第２の位置から第３の位置へと同時に動かす工程と、を含む、方法。
ＧＧ．
容器と、
容器と動作可能に接続された、先行するパラグラフＡ〜ＦＦのいずれか１つに記載のアクチュエータと、
容器内に配置された空気フレッシュニング組成物又は布地フレッシュニング組成物と、を備える、噴霧器。
【図面の簡単な説明】
【００１０】
【図１】噴霧器の側面図である。
【図２】線２−２に沿って見た、図１の噴霧器の前方位置にあるアクチュエータの断面図である。
【図３】アクチュエータｎの後方位置の断面図である。
【図４】後方位置にあるトリガーを示す、図２のアクチュエータの断片垂直断面図である。
【図５】エンジンハウジングを仮想的に示すアクチュエータの斜視図である。
【図６】図５の側面図である。
【図７】噴霧器の斜視図である。
【図８】図７の噴霧器の側面立面図である。
【図９】図７の噴霧器の正面立面図である。
【図１０】線１０−１０に沿って見た、図９の断面図である。
【図１１】アクチュエータを把持するユーザを示す、噴霧器の側面立面図である。
【図１２】図７の噴霧器の上面平面図である。
【図１３】アクチュエータの分解図である。
【図１４】トリガー及びトリガーを作動させるユーザの指の概略側面立面図である。
【図１５】トリガー及びトリガーの第１のゾーン及び第２のゾーンを作動させるユーザの指の概略側面立面図である。
【図１６】アクチュエータの概略斜視図である。
【図１７】アクチュエータの概略側面立面図である。
【図１８】アクチュエータの概略側面立面図である。
【図１９】エネルギー貯蔵カップリングを有するトリガーの概略側面立面図である。
【図２０】トリガーの概略側面立面図である。
【発明を実施するための形態】
【００１１】
下記の説明は、それぞれが様々な構成要素を有するハウジング、トリガー、ノズル、及び容器を備える噴霧器及びスプレーアクチュエータを説明しているが、噴霧器は、下記の説明で明記されるか、又は図面に図示される構成及び配置に限定されるものではないことを理解されたい。本開示の噴霧器、アクチュエータ、ハウジング、トリガー、ノズル、ポンプアセンブリは、他の構成に対しても適用可能であるか、又は様々な方法で実施若しくは実行され得る。例えば、トリガーの構成要素は、手動式のトリガー噴霧器又はエアゾール噴霧器のバルブステムのための様々なポンプアセンブリと共に使用されてもよい。更に、トリガー及び／又はポンプアセンブリは、組成物を空気中に送り出すための様々なスプレーアクチュエータと共に使用されてもよい。
【００１２】
本開示は、噴霧器、噴霧器アクチュエータ、並びにその製造及び使用方法に関する。図１〜図１１は、噴霧器２０の１つの非限定的な実施形態を示す。図１に示すように、噴霧器２０は、容器２２及び噴霧器アクチュエータ（又は「アクチュエータ」）２４を備える。噴霧器アクチュエータ２４は、ハウジング２６、トリガー２８、及びノズル３０を備える。噴霧器２０は、エアゾール噴霧器などの加圧容器噴霧器、若しくは非エアゾール手動作動式トリガー噴霧器、又は本明細書に記載される特徴から利益を得ることができる任意の他の好適なタイプの噴霧器とすることができる。噴霧器２０及びスプレーアクチュエータ２４は、長手方向軸を有してもよく、これは供給時の流量の一部分に平行である。
【００１３】
図１及び図７を参照すると、容器２２は、噴霧器によって供給されることになる製品を保持するための任意の好適な種類の容器とすることができる。容器２２は、任意の好適な形状であってもよい。容器２２は、基部３２、側部３４、下部３６と、上部３８、及び頂部４０を有する。容器２２は、概ね円筒形であってもよいが、容器の側部３４は、容器の上部３８にわずかに凸状の曲率で内側に先細になっていてもよい。したがって、容器２２は、その上部３８においてより狭くなっている。図１を参照すると、容器２２は、上部３８及び／又は頂部４０よりも大きな（例えば、より広い、より大きな容積など）、基部３２、下部３６、又は側部３４を有してもよい。容器２２は、異なる構成で多数の他の形状を有することができる。容器は、プラスチック、金属、ガラスなど、及びこれらの組み合わせを含む様々な材料を含んでもよい。単一のスプレーアクチュエータ２４は、様々な寸法及びデザインの容器２２と共に使用することができる。
【００１４】
容器２２は、噴霧器２０によって噴霧することができる任意の好適な組成物を収容することができる。組成物は、液体組成物、液体−泡組成物、ゲル組成物、及び他の組成物を含む、任意の好適な形態とすることができる。製品の例としては、空気フレッシュニング組成物、布地フレッシュニング及び／又は洗浄組成物、硬質表面洗浄組成物、スプレーデンプンなどのアイロン助剤、殺虫剤、塗料、化粧品組成物、パーソナルクレンジング組成物、並びに他の工業用、商業用、家庭用、自動車用及び／又はガーデン用の組成物が挙げられるが、これらに限定されない。
【００１５】
図１及び図２を参照すると、噴霧器は、容器２２の下部３６からスプレーアクチュエータ２４まで延在するディップチューブ３１を備えてもよい。ディップチューブ３１は、容器２２内に収容された第１の端部における組成物、並びに反対側の第２の端部におけるスプレーアクチュエータ２４に流体連通してもよい。容器２２に収容された組成物は、トリガー２８による作動に反応して、ディップチューブ３１を通じて上方に引き込まれる。
【００１６】
アクチュエータハウジング２６は、様々な異なる形状及びサイズで構成されてもよい。図１、図２、図７、及び図８を参照すると、アクチュエータハウジング２６は、下部４２、上部４４、腰部４６、及び頂部４８を有してもよい。下部４２は、容器２２上又は容器２２の上方において嵌合する。腰部４６は、下部４２と上部４４との間に配置されてもよい。腰部４６は、上部４４及び／又は下部４２のそれぞれの最も広い部分よりも狭くてもよい。腰部４６及び下部４２はそれぞれ、上部４４の最も広い部分よりも狭くてもよい。腰部４６は、噴霧器アクチュエータ２４に人間工学的デザインを提供する。
【００１７】
アクチュエータハウジング２６は、ユーザが、狭い腰部４６の周りに、少なくともユーザの親指５０及び人差し指５２を包むことができるように構成されてもよい。本実施形態では、噴霧器アクチュエータハウジング２６はまた、ユーザの手のひらを折り曲げた場合のようなユーザの手のひらの自然な輪郭に快適に適合することを可能にする構成を備える。図１２に示されるように、上から見たとき、上部４４の少なくとも一部は、狭くなった腰部４６と接触するユーザの親指５０及び人差し指５２の一部分を越えて外向きに延在して出っ張りを形成する。
【００１８】
図１及び図１１を参照すると、狭い腰部４６を有することで、噴霧器２０を、特により小さな手で容易に把持されるようにし得る。更に、上部４４は、上から見たときに少なくとも部分的に腰部４６を囲むユーザの手よりも広い部分を少なくとも備えているので、上部４４のこれらの部分によって形成された出っ張りは、使用中にユーザの親指及び人差し指の一部分上に置かれて噴霧器２０の重量を少なくとも部分的に支持することができる。これにより、特に噴霧器２０を長期間使用するときに、ユーザの指及び／又は手首の圧力を緩和することができる。
【００１９】
上部４４は、狭くなった腰部４６と接触しているユーザの手の部分よりも広い噴霧器の前部、側部、及び背部の部分を含んでもよい。上部４４は、狭くなった腰部４６と接触しているユーザの手の部分よりも、噴霧器の周り全体にわたって広い部分を有しなくてもよい。上部４４の任意の好適な部分（複数可）が、狭くなった腰部４６と接触するユーザの手の部分を越えて横方向外側に延在してもよい。このような好適な部分としては、限定するものではないが、側部、好ましくは両側のうちの少なくとも１つの上の部分、及び／又は噴霧器の後部が挙げられる。
【００２０】
アクチュエータハウジング２６の下部４２は、容器２２の頂部４０及び／又は側部３４と重なり合ってもよい。アクチュエータ２４の下部４２は、容器２２の側部３４の外側表面とアクチュエータ２４の下部４２とが同一面上にあるか、又は実質的に連続した表面を形成するように構成されてもよい。アクチュエータハウジング２６の下部４２の全ての部分は、均一な長さであってもよい。又は、アクチュエータ２４の下部４２は、噴霧器の前方にノズル３０を備えている場合に、噴霧器の前方よりも噴霧器２０の後方に更に下方に延在してもよい。
【００２１】
図１及び図７〜図９を参照すると、アクチュエータハウジング２６の上部４４は、前部、後部、及び裏側部４９を有する。アクチュエータハウジング２６の部分は、噴霧器の後部からノズル３０を備える噴霧器の前部まで上向きに角度付けされてもよい。例えば、アクチュエータハウジング２６の裏側部４９及び頂部４８の一方又は両方は、噴霧器の後部から噴霧器の前部まで上向きに角度付けされてもよい。上部４４の裏側部４９は、ユーザの手首を曲げることなく、噴霧器をユーザによってより人間工学的に保持することを可能にするために、当該上部の裏側部が後部よりも前部の方を高くなるように傾斜されてもよい。ハウジングの頂部４８（及び／又は裏側部４９）は、異なる構成（例えば、平坦、下向きなど）を有してもよい。ハウジング２６の頂部４８を完全に取り除くことさえも可能としてもよい。
【００２２】
噴霧器ノズル３０がノズル３０から噴霧される組成物が０°超かつ９０°未満の角度で方向付けられるように向けられるため、アクチュエータハウジング２６の頂部４８は上方に傾けられてもよい。すなわち、組成物は、基部３２に平行に（すなわち、基部が水平表面上に配置されたときに水平に）噴霧されなくてもよいし、垂直に（容器の軸方向に真っ直ぐ上方に）噴霧されなくてもよい。組成物は、ノズル３０から０°超かつ９０°未満の角度で噴霧されてもよい。
【００２３】
ノズル３０から噴霧された組成物は、水平（０°）又は垂直（９０°）に噴霧されることが望ましい場合がある。アイロン助剤の場合など、更に他の状況では、ノズル３０から噴霧された組成物は、表面に向かって下向きに（０°〜−９０°の角度で）方向付けられることが望ましい場合がある。しかしながら、スプレーパターンは典型的には分散体の形態であり、ノズルから放出されるスプレーは、側面から見たときに、分散したスプレーパターンのある角度を形成することが理解される。本明細書で言及されるスプレーの角度は、このようなスプレーパターンを二分する、図８に示すような中心軸Ａである。スプレーパターンの部分は、典型的には、この中心軸の両側に分布されることが理解される。
【００２４】
図１、図２、図７、及び図８を参照すると、アクチュエータ２４は、ねじ山、差し込み嵌合具、及びスナップ嵌めを含むがこれらに限定されない手段によって、物品を容器に取り外し可能に取り付けるための、当該技術分野において既知の任意の方法で容器２２に取り外し可能に取り付けることができる。アクチュエータ２４は、容器２２に恒久的に取り付けられてもよく、又はアクチュエータ２４は、容器２２に取り外し可能に取り付けられてもよい。
【００２５】
アクチュエータハウジング２６は、トリガー２８がその内部を通って延在するための開口部４７を含んでもよい。
【００２６】
スプレーアクチュエータ２４は、手動作動式トリガースプレーアクチュエータとして、又はエアゾールスプレーアクチュエータとして構成されてもよい。スプレーアクチュエータの構成要素は、手動作動式スプレーアクチュエータ又はエアゾールスプレーアクチュエータとして構成されるかどうかにかかわらず、同じ又は同様にデザインされてもよいことを理解されたい。
【００２７】
図１〜図６を参照すると、スプレーアクチュエータ２４は、手動作動式トリガースプレーアクチュエータとして構成されてもよい。手動作動式スプレーアクチュエータ２４は、ポンプアセンブリ５３を備える。トリガー２８の、そのストロークを通じた手動式作動は、ポンプアセンブリ５３のピストン５４の対応する垂直動作を生じさせる。ピストン５４の垂直動作は、容器２２から、流路を通じて、ノズル３０の外へ組成物をポンプで送り出す。ピストン５４は、ポンプ本体５５内で、往復運動で動いてもよい。噴霧器２０は、関節運動する頂部枢動式トリガー２８を利用してもよい。
【００２８】
手動で操作されるトリガー噴霧器又はエアゾール噴霧器のいずれにおいても、戻しばね５６は、トリガー２８を容器２２から離れるように、かつストロークの終了時に前方位置（「前方運動」）へと力を加えるように付勢する。戻しばね（複数可）５６は、２つの湾曲した平行ばね５６として構成されてもよい。戻しばね５６は、各端部に接続されてもよく、かつピストン５４／流体チャンバ５８の外に配置されても良い。組成物用の垂直上方の流路は、戻しばね５６の間に配置されてもよい。
【００２９】
手動で操作されるトリガー噴霧器において、トリガー２８を容器に向かって絞ること（「後方運動」）により、流体チャンバ５８内に水圧が生じ、組成物が供給される。トリガー２８の前方運動は、真空を生成し、容器２２から組成物を引き込み、流体チャンバ５８を再補充する。
【００３０】
図３を参照すると、流体チャンバ５８が充填されると、トリガー２８の後方運動は、ポンプ本体５５内のピストン５４の下方運動に変換される。ピストン５４の下方運動は、流体チャンバ５８を加圧する。流体チャンバ５８内の圧力が所定のレベルに達すると、系内の抵抗力は回復し、バルブ６０を開かせ、組成物を、導管６２を通ってノズル３０から流出させる。戻しばね５６は、トリガー２８を前方休止位置へと自動的に繰り返し動かし、流体チャンバ５８は組成物で再補充される。
【００３１】
図４を参照し、かつポンプアセンブリ５３をより詳細に検討すると、ポンプ本体５５は、段付き構成を有してもよく、往復ピストン５４を収容してもよい。ポンプ本体５５は、アクチュエータ２４の下部５２のねじ込み密閉部５０によって捕捉されてもよい。ねじ込み密閉部５０は開放され、所望によりリ容器２２内の組成物にアクセスし、かつこれを補給することができる。ねじ込み密閉部５０が図４に示されているが、その密閉部は、差し込み又はスナップ嵌めなどの異なるタイプの密閉部として構成されてもよいことを理解されたい。
【００３２】
図２〜図４を参照すると、往復ピストン５４は、上方密閉部１５０Ｕ及び下方密閉部１５０Ｌを有してもよく、これらの両方は本体４８内に適合する。ピストン５４内に配置されたバルブ６０は、ばね（図示せず）によって抵抗を受けるその垂直運動を有し得る。トリガー２８の動作からの力が、ピストン５４に適用される力を増加させると、バルブ５５は下向きに動くことができ、チャンバ４４内の組成物が後で供給されるように加圧する。
【００３３】
導管６２は、様々な様式で構成されてもよい。例えば、図２を参照すると、導管６２は可撓性であり、約９０度で屈曲されてもよい。可撓性の導管６２は、トリガー２８／クランクロッカーの動作に応答して、曲がり管６５において角度をわずかに増加させながら、曲がり管６４において屈曲する。導管６２の下流部分は、曲がり管６４において屈折し、スピナー６６において終端する。
【００３４】
導管６２を通じて流れる組成物はスピナー６６を通過する。スピナー６６は、組成物がノズル３０に到達する前に、組成物に接線回転を付与する。スピナー６６は、ノズル３０内へ、スピナー６６のショルダまで挿入される。スピナー６６及びノズル３０は固定されている。スピナー６６は、軸方向長さの下方流上の半分で１８０度外向きに配置された２つの長手方向の溝部を有する、一定直径のピンを備えてもよい。溝部は、旋回チャンバで終端する。旋回チャンバは、スピナー６６の面上に配置される。
【００３５】
スピナー６６は２つの長手方向に対向する端部（上述の屈曲した導管６２が内部に適合される上方流端部及びノズル３０内に適合する下方流端部）を有し得る。スピナー６６は、約１１ｍｍの長さ及び約４〜５ｍｍの段付き直径を有してもよい。スピナー６６は、その下流部分の周りに均等に円周方向に離間した２つの長手方向に配向されたスロットを有してもよい。
【００３６】
スピナー６６を出ると、組成物は、大気又は標的の表面上に供給するためにノズル３０を通過する。ノズル３０は、約０．５ミリメートル（「ｍｍ」）〜約６ｍｍの直径を有してもよく、かつ外面上で半径方向であってもよい。組成物は、所定のスプレーパターンでノズル３０から供給され、これは、トリガー２８の操作のストローク速度、ストローク長さ等に従って様々であってもよい。所望により、スプレーパターンを調節するための対策がなされてもよい。
【００３７】
ポンプアセンブリ５３全体は、ハウジング７０内に包まれてもよい。ノズル３０以外は、ポンプアセンブリ５３からハウジング７０の外への直接的な開口部がない場合がある。
【００３８】
図５〜図６を参照すると、トリガー２８は、図２及び図３に示される形状よりも、長手方向軸に対して、より垂直で／半径方向に向けられた移動をもたらすように構成されてもよい。この移動の向きは、トリガー２８の最上部分付近に配置された据付旋回軸６８を提供することによって達成され得る。トリガー２８上の後方に面する突出部７０は、関節動作可能なクランクロッカー７４のロッカーアーム７２に対して上方に枢動し得る。ロッカーアーム７２は、２つの旋回軸６９上に搭載される。クランクロッカー７４の反対側の端部７６は、下向きに関節動作し、長手方向軸に整列された、又はこれと合致する力Ｆをもたらす。この力Ｆは、ピストン５４を下向きの方向に変位させ、流体チャンバ５８内の組成物を加圧する。図４に戻って参照すると、流体チャンバ５８の下部内の組成物は、ピストン５４によって変位させられ、流体チャンバ５８の環状部分を通じて上方へ流れて、バルブ６０を通過し、導管６２内へと流れる。
【００３９】
図２〜図３に示されるようなアクチュエータ２４は、図５〜６のアクチュエータ２４よりも部品が少ないという利点を提供する。図５〜図６に示されるようなアクチュエータ２４は、より水平なトリガー２８の動きが所望されるときに採用されてもよく、それにより望ましい人間工学を提供する。
【００４０】
手動作動式トリガー噴霧器において、ポンプアセンブリ５３は、当業者に既知の予圧縮ポンプアセンブリとして構成されてもよい。
【００４１】
図７〜図１３を参照すると、スプレーアクチュエータ２４は、エアゾール噴霧器２０用に構成されてもよい。トリガー２８は、より大きなトリガー部品８２の一部であってもよく、トリガー部品８２の後部は、それに接合されるか、又はそれと一体的に形成されたバー８４を有する。トリガー部品８２はまた、軸受部８６を備える。バー８４は、その後部においてアクチュエータハウジング２６の内側に位置する棚部９０の凹部又はスロット８８に嵌合するように構成されている。これにより、トリガー部品８２がヒンジ式に回転することが可能になる。したがって、トリガー２８は、噴霧器２０の前部から延在し、アクチュエータハウジング２６と動作可能に関連する。図７〜図１３のトリガー部品８２はエアゾール噴霧器の一部として示されているが、トリガー部品８２は、手動で起動されたトリガー噴霧器２０のトリガー２８及びポンプアセンブリ５３と共に使用するように適合され得ることを理解されたい。
【００４２】
図１０を参照すると、エアゾール噴霧器において、容器２２は、容器の頂部４０から上方に延在する従来のバルブステム９２を有してもよい。噴霧器アクチュエータ２４は、導管６２を更に備える。導管６２は、第１の端部及び第２の端部を有してもよい。導管６２は、導管６８の第１の端部（又は前部）でノズル３０と動作可能に接続されている。導管６８は、容器２２の内容物をノズル３０に送ってそれらが容器２２から噴霧されるようにすることと、またバルブステム９２上で下向きの力を伝達して容器２２の内容物を解放することとの二重の目的を果たしてもよい。
【００４３】
バルブステム９２上で下方前方に伝達するために、導管６８の反対側の第２の端部は、プラットフォーム９４及びキャップ９６と接続されてもよい。この導管は、第１の直立導管部９８と第２の角度付け導管部１００とを備えてもよい。第２の導管部１００は、当該第１のセグメント７２との間で０°超の角度θＡを形成する。噴霧器が容器２２の基部に対して上向きの角度でスプレーを方向付けるように構成されている場合、この角度θＡは、約９０°より大きく、かつ約１８０°未満である。ノズル３０は、アクチュエータハウジング２６の前部の固定位置に保持されてもよく、導管６８のキャップ部９６は、容器２２のバルブステム９２の上に嵌合する。導管６８の第１の導管部９８は、第２の導管部１００よりも剛性であってもよい（後者は好ましくは可撓性である）。
【００４４】
噴霧器アクチュエータ２４は、以下の方法で動作し得る。ユーザがトリガー２８を後方運動でアクチュエータハウジング２６に向かって内側に引くと、これにより、トリガー部品８２の軸受部８６が導管６８上のプラットフォーム９４上に押し下げられる。これにより、導管６８の第１の導管部９８が下方に動き、容器のバルブステム９２を作動させる。ノズル３０は固定位置にあるため、導管６８の可撓性の性質の第２の導管部１００は屈曲し、第１の導管部９８の下方運動を生じさせ得る。バルブステム９２は、容器２２の内容物が解放されることを可能にする。容器の内容物は、導管６８を通って、ノズル３０から流出してもよい。
【００４５】
導管６２は、本明細書に記載される要素の全てを備える必要はなく、これらの要素は、噴霧器アクチュエータ２４のいくつかの他の要素の一部として提供されることができる。導管６８は、導管部のうちの１つが可撓性であり、かつ１つがより剛性である第１及び第２の導管部を備える必要はない。導管６８全体が可撓性であってもよく、又は導管全体が剛性であってもよい。しかしながら、これは、噴霧器アクチュエータが機能する方法を変えることができる。
【００４６】
ノズル３０は、アクチュエータハウジング２６の前部に固定位置に留まる必要はない。例えば、トリガー２８が動かされると、ノズル３０が上方及び下方に動くようにノズル３０を取り付けることができる。
【００４７】
トリガー部品５６は、アクチュエータハウジング２６に取り付けられた別個の構成要素ではなく、アクチュエータハウジング２６の一部又はアクチュエータの任意の他の部分を備えることができる。このような噴霧器アクチュエータは、本明細書に記載の噴霧器の特徴の全てを含む必要はない。
【００４８】
更に他の実施形態では、トリガー部品５６及び導管６８は、単一の一体構成要素として形成されることができる。
【００４９】
エアゾール噴霧器２０において、容器２２はまた、その中に配置された組成物を供給するための噴射剤を含んでもよい。任意の好適な噴射剤が使用され得る。好適な噴射剤としては、イソブテン、ブタン、イソプロパン、ジメチルエーテル（dimethyl ether、ＤＭＥ）などの炭化水素噴射剤、又は、圧縮空気、窒素、不活性ガス、二酸化炭素、及びこれらの混合物が挙げられるがこれらに限定されない圧縮ガスなどの非炭化水素噴射剤、液化ガス噴射剤、及び可溶性ガス噴射剤が挙げられるが、これらに限定されない。噴射剤が炭化水素噴射剤を実質的に含まないことが望ましい場合がある。圧力下で内容物を収容するように構成された容器は、金属、プラスチックなど、又はこれらの組み合わせから構成されてもよい。
【００５０】
ノズル３０は、任意の好適なサイズの液滴をスプレーするように構成されてもよい。ノズル３０は、複数の液滴をスプレーするように構成されてもよく、スプレー液滴の少なくとも一部は、約０．０１μｍ〜約５００μｍ、又は約５μｍ〜約４００μｍ、又は約１０μｍ〜約２００μｍの範囲の直径を有する。スプレー液滴の平均粒径は、約１０μｍ〜約１００μｍ、又は約２０μｍ〜約６０μｍの範囲であってもよい。これらのサイズの液滴は、空気中の液滴を長期間懸濁させることが望ましい空気フレッシュニング組成物の場合に有用であり得る。
【００５１】
粒径の直径は、Ｓｐｒａｙｔｅｃ２０００粒径分析器を使用して、Ｍａｌｖｅｒｎ  ＲＴ  Ｓｉｚｅｒ３．０３ソフトウェアを使用して決定される。両方ともに、Ｍａｌｖｅｒｎ  Ｉｎｓｔｒｕｍｅｎｔｓ，Ｌｔｄ（ＵＫ）から入手可能である。
【００５２】
それぞれ０．１０及び９００．００（マイクロメートル）の最小及び最大粒径検出を有する、３００ｍｍのレンズが使用される。スプレーノズルは、１００ｍｍの経路長さを使用して、レーザービームから１４０ｍｍに配置される。１．３３の粒子屈折率及び１．００の分散屈折率が選択される。吸光分析はオフ、多重散乱はオンに設定して、０．４１の残差が選択される。散乱開始は１に設定され、散乱終了は３６に設定され、散乱閾値は１に設定される。
【００５３】
当業者は、５０％の粒子が、示された値よりも小さい平均粒径を有するということを意味する、Ｄｖ（５０）の測定を考慮するであろう。同様に、当業者は、９０％の粒子が、示された値よりも小さい平均粒径を有するということを意味する、Ｄｖ（９０）の測定を検討するであろう。
【００５４】
当業者はまたＤ［４，３］の測定を検討し得る。この測定は、４乗された個々の粒径を合計し、３乗された個々の粒径の合計によって除される。この測定は、測定において検討される粒子の実際の数とは無関係である。
【００５５】
当業者は、噴霧器２０を使用して、供給される組成物の異なる粒径分布を望む場合がある。粒子が大きすぎる場合、組成物は単に床の上に落下するか、標的の表面上でパドリングをしながら、濡れたスポットを形成する場合がある。粒子が小さすぎる場合、有効である十分な表面積を有しない場合がある。例えば、直径で５０（マイクロメートル）未満のスプレー粒子はいつまでも、又は蒸発が生じるまで浮遊したままであり得る。
【００５６】
図１４〜図１７を参照すると、噴霧器アクチュエータ２４は、噴霧器の前部でアクチュエータハウジング２６と動作可能に関連するトリガー２８を備える。トリガー２８は、人間工学的にデザインされてもよい。トリガー２８は、ユーザが２本以上の指（人差し指及び中指など）を使用してトリガー２８を作動させるようにしてもよい。これにより、ユーザの人差し指の疲労が、長時間の噴霧に際して軽減される。
【００５７】
トリガー２８は、非限定的な例示目的のみのための図１４〜図１７に示される第１のゾーン２８ａ及び第２のゾーン２８ｂなどの２つ以上のゾーンを備えてもよい。ゾーン（２８ａ、２８ｂなど）のそれぞれは、共通軸Ｃを中心に互いに独立して動いてもよい。各ゾーンは、トリガー２８の他のゾーンと一緒に接合される別個の要素として構成されてもよい。各ゾーン２８ａ、２８ｂは、共通軸Ｃで一緒に接合されてもよい。図１６に示されるように、第１のゾーン２８ａは、第２のゾーン２８ｂを少なくとも部分的に取り囲んでもよい。各ゾーンは、ユーザがゾーン（２８ａ、２８ｂなど）のそれぞれの上に１本以上の指を置くことができるように構成されてもよい。例えば、ユーザは、第１のゾーン２８ａ上に２本の指を置き、第２のゾーン２８ｂ上に２本の指を置くことが可能になり得る。各ゾーン（２８ａ、２８ｂなど）は、ユーザの指によってゾーンのそれぞれに加えられる力がピストン５４の作動に寄与するように、ポンプアセンブリと動作可能に関連してもよい。
【００５８】
トリガー２８のゾーン（２８ａ、２８ｂなど）は、同様にサイズ決めされてもよく、又は１つのゾーンが他のゾーンよりも大きくてもよい。トリガー２８のゾーンは、同じ又は異なる材料から構成されてもよい。トリガーのゾーンは、同じ回転角度だけ共通軸Ｃを中心に回転してもよく、又はトリガーのゾーンは、異なる回転角度だけ共通軸Ｃを中心に回転してもよい。
【００５９】
共通軸Ｃを中心に独立して動くことにより、ユーザは、共通軸Ｃに対して第１のゾーンと第２のゾーンとの間の角度θＣを調節又は選択することによって、第１のゾーン２８ａ及び第２のゾーン２８ｂに対する人間工学的位置を選択することができる。ユーザによる角度θＣの調節は、ユーザが、特定のユーザにとってより人間工学的であるトリガー２８上のグリップを選択することを可能にする。角度θＣは、トリガー上の目標表面トポグラフィーをもたらすことができ、これは、特定のユーザにとって最も望ましく／快適であり、維持され得る。ユーザが第１のゾーン２８ａと第２のゾーン２８ｂとの間のθＣを選択すると、ユーザは、ストロークの持続時間にわたってθＣを比較的一定に維持することによって、第１のゾーン及び第２のゾーンを協調して動かすように選択し得る。又は、ユーザは、ストロークの持続時間にわたって、第１のゾーン２８ａと第２のゾーン２８ｂとの間のθＣの調節を継続し得る。ユーザは、第１のゾーン２８ａと第２のゾーン２８ｂとの間のθＣの調節を継続してもよく、これにより、ユーザは、単一のストローク中に、ユーザが自身の指のそれぞれに対して所望の回転変位移動を選択することを可能にし得る。ユーザは、各ゾーンを同じ速度若しくは力で作動させるか、又は各ゾーンを異なる速度若しくは力で作動させるかどうかを選択してもよい。
【００６０】
図１４〜１７には、第２のゾーン２８ｂが第１のゾーン２８ａよりも前方位置に配置されること示されているが、第２のゾーン２８ｂは、第１のゾーン２８ａの背後又はより後方に配置されてもよいことを理解されたい。更に、第１のゾーン２８ｂが第２のゾーン２８ｂよりも表面積が大きいことが示されているが、各ゾーンは、ユーザの指が接触するのに実質的に同じ表面積を有してもよく、又は第２のゾーン２８ｂのそれぞれは、第１のゾーン２８ａよりも大きい表面積を有してもよいことが理解されるべきである。
【００６１】
共通軸を中心とするゾーン（２８ａ、２８ｂなど）の独立した動きは、特定のユーザに対してカスタマイズされた人間工学的グリップを可能にし得る。共通軸Ｃを中心とするゾーンの独立した動きはまた、ユーザが、互いの指に対する、自身の指のうちの１本以上の位置付けを選択することを可能にし得る。このような構成は、ユーザが、異なる指によって経験する所望の作動速度及び作動力を選択することを可能にし得る。
【００６２】
図１７及び１８を参照すると、アクチュエータ２４は、トリガー２８の隣接するゾーンを少なくとも部分的に接続する二次カップラー７８を備えてもよい。二次カップラー７８は、トリガー２８のゾーン上の様々な位置に配置されてもよい。二次カップラー７８は、トリガー２８を少なくとも部分的に取り囲んでもよい。二次カップラー７８は、ユーザがトリガー２８の第１のゾーン２８ａと第２のゾーン２８ｂとの間のθＣを選択することに加えて、又はその代わりに作用してもよい。例えば、二次カップラー７８は、第１のゾーン２８ａと第２のゾーン２８ｂとの間に所定のθＣを設定してもよい。二次カップラー７８によって設定された所定の角度θＣは、例えば、エラストマーである二次カップラー７８の材料を選択することによって、二次カップラー７８に設定された角度θＣを調節されてもよい。また、ユーザによって角度θＣが調節されないように、二次カップラー７８の材料を選択してもよい。二次カップラー７８は、トリガー７８の第１のゾーン２８ａ及び第２のゾーン２８ｂの形状に適合してもよい。二次カップラー７８は、トリガー２８の第１のゾーン２８ａ及び第２のゾーン２８ｂの露出面よりも人間工学的及び／又は審美的にユーザが満足する連続表面を形成してもよい。二次カップラー７８は、例えばシリコーンゴムなど、エラストマーなどの可撓性の材料から構成されてもよい。しかしながら、二次カップラー７８には様々な他の材料が使用されてもよい。
【００６３】
非作動状態において、又はトリガーの最も前方位置において、二次カップラー８０の有無にかかわらず、ゾーン（２８ａ、２８ｂなど）は、同じ半径方向位置に配置されてもよい。このような構成では、例えば、第１のゾーン２８ａと第２のゾーン２８ｂとの間の角度θＣは、ゼロ又は実質的にゼロであってもよい。角度θＣは、ユーザが後方運動ストロークを開始するときに、選択された角度θＣまで増加されてもよい。又は、非作動状態において、トリガー２８の第１のゾーン２８ａ及び第２のゾーン２８ｂは、ゼロよりも大きい角度θＣで開始してもよい。いずれの構成においても、ゾーン２８ａ及び２８ｂは、ユーザによって、二次カップラーによって、又はユーザ及び二次カップラーによって、第１の角度θＣ１から第２の角度θＣ２に調節されることができる。
【００６４】
［他の応用の場合、トリガーの各ゾーンは、要素の一部が取り除かれた一体型要素として接続されて、一方のゾーンの他方に対する動きを可能にしてもよい］。
【００６５】
図１９及び２０を参照すると、トリガー２８のゾーン（２８ａ、２８ｂなど）は、エネルギー貯蔵カップリング８０によって一緒に接合されてもよい。エネルギー貯蔵カップリング８０を備えたトリガー２８において、トリガー２８はまた、エネルギー放出ピストン１０２を備えてもよい。エネルギー貯蔵カップリング８０は、ユーザによって必要とされる作動力の低減の更なる人間工学的利益を提供し得る。ユーザは、異なる動作のモードで噴霧器２０を作動させることを選択してもよい。例えば、ユーザは、比較的低い力で作動させることを可能にする第１のモードで噴霧器２０を操作することを選択してもよい。第１のモードでは、ユーザは、第１のゾーン２８ａ上に少なくとも１本の指、又は少なくとも２本の指を配置してもよい。ユーザは、第２のゾーン２８ｂ上に指を配置するかどうかを選択してもよい。次いで、ユーザは、トリガー２８の第１のゾーン２８ａに力を加え、トリガー２８の第１のゾーン２８ａの後方運動を開始する。第１のゾーン２８ａの後方運動は、エネルギー放出ピストン１０２を後方方向に動かす。ユーザは、トリガー２８がトリガーの最も押下された状態でストロークの終わりに達するまで、第１のゾーン２８ａに力を加え続け得る。ユーザは、第１のゾーン及び第２のゾーンの両方にわたって同時に力を加えた場合にユーザが経験する力と比較して、このストローク運動で作動する力がより低い力を経験することになる。
【００６６】
第１のゾーン２８ａの後方運動の間、トリガーの第２のゾーン２８ｂは静止したままにして、エネルギー貯蔵カップリング８０へとエネルギーが伝達されるようにしてもよい。次いで、ユーザがトリガー２８を押し下げた状態で保持し続けると、エネルギー貯蔵カップリング８０は、トリガー２８の第２のゾーン２８ｂを後方運動で力を加えることによって、貯蔵エネルギーを放出する。第２のゾーン２８ｂの後方運動は、エネルギー放出ピストンを後方方向に動かし続けさせる。その結果として、ユーザは、トリガー２８の第１のゾーン２８ａが完全に押圧されて、ユーザがそのような噴霧を達成するためにより低い、より人間工学的な力をユーザが適用しても、ノズル３０からの組成物の延長された噴霧を経験する。同じ量の組成物が、エネルギー貯蔵カップリング８０を有する噴霧器から供給されてもよいが、エネルギー貯蔵カップリング８０は、噴霧の持続時間を延ばすことができることを理解されたい。
【００６７】
エネルギー貯蔵カップリング８０は、トーションばね、コイルばね、板ばね、エラストマー材料、及びこれらの組み合わせからなる群から選択されてもよい。
【００６８】
トリガー２８は、任意の好適な寸法を有することができる。トリガーは、約１．２５インチ（約３０又は３２ｍｍ）以上の長さＬを有してもよい。トリガー２８は、約７／１６インチ（約１０又は１１ｍｍ）以上の幅Ｗを有してもよい。例えば、トリガー２８は、約１０／１６インチ（約１５又は１６ｍｍ）の幅を有してもよい。トリガー２８は、人間工学的にデザインされていなくてもよく、より従来のデザイン及びサイズであってもよい。
【００６９】
本明細書において記載され、請求されているトリガー噴霧器２０は、蒸留水から、空気／布地リフレッシュ組成物の範囲の特定のレオロジー特性を有する組成物と共に使用するのに好適である。具体的には、本開示と共に使用するのに好適な組成物は、２５℃において約０．８５〜約１．１センチポワズの範囲の動的粘度及び約８．９Ｅ−４〜約０．００１（パスカル秒）の範囲の動粘性率を有し得る。組成物は、２５℃において約２０〜約７５ミリニュートン／メートルの範囲の表面張力を有し得る。
【００７０】
本明細書全体を通して記載される全ての最大数値限定は、それよりも低い全ての数値限定を、かかるより低い数値限定があたかも本明細書に明確に記載されているかのように包含することを理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００７１】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味するものとする。
【００７２】
本明細書全体を通して記載される全ての最大数値限定は、それよりも低い全ての数値限定を、かかるより低い数値限定があたかも本明細書に明確に記載されているかのように包含することを理解すべきである。本明細書の全体を通して記載される全ての最小数値限定は、それよりも高い全ての数値限定を、かかるより高い数値限定があたかも本明細書に明確に記載されているかのように包含する。本明細書の全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００７３】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００７４】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
0006882504.tif 000002
【図２】
0006882504.tif 000003
【図３】
0006882504.tif 000004
【図４】
0006882504.tif 000005
【図５】
0006882504.tif 000006
【図６】
0006882504.tif 000007
【図７】
0006882504.tif 000008
【図８】
0006882504.tif 000009
【図９】
0006882504.tif 000010
【図１０】
0006882504.tif 000011
【図１１】
0006882504.tif 000012
【図１２】
0006882504.tif 000013
【図１３】
0006882504.tif 000014
【図１４】
0006882504.tif 000015
【図１５】
0006882504.tif 000016
【図１６】
0006882504.tif 000017
【図１７】
0006882504.tif 000018
【図１８】
0006882504.tif 000019
【図１９】
0006882504.tif 000020
【図２０】
0006882504.tif 000021